(57)【特許請求の範囲】
【請求項１】
中央側を下にして二つ折りされる一対の台板部と、前記台板部の外側端部に設けられた外側脚部と、前記台板部の中央側端部同士を繋ぐ連結部と、前記連結部に設けられた中央脚部とを備え、
前記一対の台板部が閉じられた状態から開かれて、前記外側脚部により前記台板部を支持させ、前記連結部を前記中央脚部に沿って上昇させ、前記一対の台板部を水平とした状態で、前記中央脚部により前記連結部を支持させ、
前記連結部は、前記中央脚部の支柱部を通す貫通孔が設けられた平板部材により形成された折り畳み台。
【請求項２】
前記支柱部の頭頂面は、前記連結部が上昇して、前記中央脚部の頭頂面に位置したときに、前記連結部と同一平面となる平坦面に形成されている請求項１記載の折り畳み台。
【請求項３】
前記外側脚部は、上下方向に伸びる支柱部と、前記支柱部から水平に伸びて、前記台板部と連結されて前記台板部を支える支持部とを備えた請求項１または２記載の折り畳み台。
【請求項４】
前記外側脚部および前記中央脚部は、伸縮部材により形成されている請求項１から３のいずれかの項に記載の折り畳み台。
【発明の詳細な説明】
【技術分野】
【０００１】
本発明は、足場や作業台などに使用できる折り畳み台に関するものである。
【背景技術】
【０００２】
台板を、運搬時や移動時、収納時には折り畳み、使用時には開いた状態とする折り畳み台が知られている。この折り畳み台は、台板を二つ折りして、立てた状態とすることができるので、横幅が狭くコンパクトになる。また、折り畳み台は、台板を開いて２枚の台板を水平状態とすることで、足場として作業者が載って高所の作業に使用したり、作業台として物を置いて作業したりすることができる。
このような折り畳み台として、特許出願１，２に記載されたものある。
【０００３】
特許文献１に記載の「高さ調節ができる折り畳み作業床」は、枠に組む基台および横架材の四隅に、持ち出し梁を突設する脚支柱を立設してなる枠組み台と、持ち出し梁を突設する脚二本を、横架材で連結して成る枠組み脚とを設け、枠組み脚を中央枠組台の両サイドに配置させ、その粋組み脚が有する持出し梁の先端部と、中央粋組み台の持出し梁の先端部とを、連杆で框支連結し、該枠組みの脚の脚と中央枠組み台の脚柱には、それぞれに鈎部を有する支柱を伸縮調整可能に挿嵌し、この枠組み脚に挿嵌した支柱の鈎部先端を床板に枢着させたものである。
【０００４】
特許文献２に記載の「三段支柱方式折畳足場」は、折り畳み可能な一対の各足場の中央両端下部に主脚を設け，外側両隅下部に外脚を形成し，該主脚及び外脚も三段支柱方式を採用し，該足場中央部下部はパンタグラフ式押上部材を用いて支承し，且つ足場外側隅下部は交差式上下保持部材を用いて支承し，該両外脚は，中央部に折り畳み回転可能な手段を有し、固定保持可能な構造とし，更に各該足場が外側下部方向に回転折り畳み自在な構造としたものである。
【先行技術文献】
【特許文献】
【０００５】
【特許文献１】実開平４−８２２５０号公報
【特許文献２】登録実用新案第３０６３９９２号公報
【発明の概要】
【発明が解決しようとする課題】
【０００６】
しかし、特許文献１に記載の「高さ調節ができる折り畳み作業床」では、床板が中央枠組み台の先端部に位置する鈎部に枢着されているため、閉じた状態の床板を開くときには、床板を鈎部と枢着された部分を中心に、床板の外側端部を倒すようにして開く。従って、特許文献１に記載の「高さ調節ができる折り畳み作業床」では、閉じた状態の床板が、中央枠組み台の先端部に位置する鈎部から、上方に位置することになるため、全体の高さが高くなってしまう。
【０００７】
また、特許文献２に記載の「三段支柱方式折畳足場」では、足部の中央端部と主脚との連結部分を上にして、足場を閉じているため、足場の長さが主脚に対して長いと、主脚を伸ばした状態にする必要がある。従って、主脚を縮めて低い位置で折畳足場を使用していても、折畳足場を収納するときや、搬送するときには、一旦、主脚を伸ばして足場の位置を高くしてから、閉じることなるため、作業が煩雑である。
【０００８】
そこで本発明は、台板を簡単に閉じたりしたり、開いたりすることができると共に、全体の高さを抑えてコンパクトに形成することができる折り畳み台を提供することを目的とする。
【課題を解決するための手段】
【０００９】
本発明の折り畳み台は、中央側を下にして二つ折りされる一対の台板部と、前記台板部の外側端部に設けられた外側脚部と、前記台板部の中央側端部同士を繋ぐ連結部と、前記連結部に設けられた中央脚部とを備え、前記一対の台板部が閉じられた状態から開かれて、前記外側脚部により前記台板部を支持させ、前記連結部を前記中央脚部に沿って上昇させ、前記一対の台板部を水平とした状態で、前記中央脚部により前記連結部を支持させることを特徴とする。
【００１０】
本発明の折り畳み台によれば、台板部の中央側端部同士を繋ぐ連結部が中央脚部に沿って上昇して、一対の台板部を水平とした状態で中央脚部により連結部を支持させる構造であるため、台板部が閉じられた状態では、台板部の中央側端部を中央脚部の下部に位置させることができる。従って、本発明の折り畳み台は、台板部を二つ折りして閉じた状態での高さを低く抑えることができる。また、台板部が中央脚部より長くても、台板部が閉じられた状態では、台板部の中央側端部が中央脚部の下部に位置し、台板部が中央側を下にして二つ折りされるため、台板部を閉じるときに中央脚部を伸ばす必要がない。
【００１１】
前記連結部は、前記中央脚部の支柱部を通す貫通孔が設けられた平板部材により形成されていることが望ましい。一対の台板部を水平状態としたときに、一対の台板部の間に位置する連結部が、一対の台板部と共に平坦面を形成するので、作業者は障害となる出っ張りが無い状態で作業を行うことができる。また、連結部には、中央脚部の支柱部を通すための貫通孔が形成されているため、中央脚部を連結部から外にはみ出した状態で配置しなくてもよい。
【００１２】
前記支柱部の頭頂面は、前記連結部が上昇して、前記中央脚部の頭頂面に位置したときに、前記連結部と同一平面となる平坦面に形成されていることが望ましい。連結部を中央脚部の支柱部に沿って上昇させ、中央脚部の頭頂面に位置させたときに、支柱部の頭頂面が連結部と同一平面となる平坦面に形成されていると、台板部上で作業をしていても、中央脚部内への物品の落下を防止することができる。
【００１３】
前記外側脚部は、上下方向に伸びる支柱部と、前記支柱部から水平に伸びて、前記台板部と連結されて前記台板部を支える支持部とを備えていることが望ましい。支持部が、上下方向に伸びる支柱部から水平に伸びて、台板部を支えるので、台板部に荷重が掛かっても、点でなく線で支持部に台板部を支持させることができる。
【００１４】
前記外側脚部および前記中央脚部は、伸縮部材により形成されていると、外側脚部および中央脚部を伸ばすことにより、更に高い位置での作業が可能である。
【発明の効果】
【００１５】
本発明の折り畳み台は、台板部が中央側を下にして二つ折りされるため、台板部を閉じるときに中央脚部を伸ばす必要がなく、台板部の中央側端部を中央脚部の下部に位置させることができるため、台板部を二つ折りして閉じた状態での高さを低く抑えることができる。従って、本発明の折り畳み台は、台板を簡単に閉じたりしたり、開いたりすることができると共に、全体の高さを抑えてコンパクトに形成することができる。
【図面の簡単な説明】
【００１６】
【図１】本発明の実施の形態に係る折り畳み台が折り畳まれた状態を示す正面図である。
【図２】図１に示す折り畳み台の側面図である。
【図３】図１に示す折り畳み台の台板部を開き、外側脚部により支持させた状態の正面図である。
【図４】図３に示す折り畳み台の側面図である。
【図５】図３に示す折り畳み台の状態から連結部を上昇させて、台板部を水平状態にした正面図である。
【図６】図５に示す折り畳み台の状態から台板部を上昇させた状態の正面図である。
【発明を実施するための形態】
【００１７】
本発明の実施の形態に係る折り畳み台を、図面に基づいて説明する。本実施の形態に係る折り畳み台では、作業者が高所作業を行うときに使用される足場を例に説明する。
図１および図２に示す足場１０は、中央側を下にして二つ折りされる一対の台板部２０と、それぞれの台板部２０の外側端部２０ａに設けられた外側脚部３０と、台板部２０の中央側端部２０ｂ同士を繋ぐ連結部４０と、連結部４０に設けられた一対の中央脚部５０と、外側脚部３０と中央脚部５０との間に懸架された外脚規制部６０とを備えている。
【００１８】
台板部２０は、作業者が載って作業をする板状部材である。台板部２０は、矩形状の平板部材２１の周縁を下方に折り曲げ、平板部材２１の外形に合わせた枠部材２２を、平板部材２１の折り曲げた周縁の内側に入れて溶接して一体化したものである。枠部材２２の幅方向の中央部には、長さ方向に沿って補強部材２３が設けられている。
【００１９】
外側脚部３０は、台板部２０の外側端部２０ａを支える脚である。外側脚部３０は、上下方向に伸びる一対の支柱部３１と、支柱部３１の上端から中央部方向に水平に伸びて、台板部２０と連結されて、台板部２０を支える支持部３２と、支柱部３１の下端に設けられた車輪部材３３とを備えている。
支柱部３１は、長さを変更することが可能な伸縮部材３１１と、伸縮部材３１１の長さを固定する止め部材３１２と、一対の支柱部３１の上部同士および下部同士を繋ぐ懸架部材３１３とを備えている。
【００２０】
伸縮部材３１１は、断面矩形状の部材から形成され、内筒管３１１ａと外筒管３１１ｂ（図６参照）とを備えている。外筒管３１１ｂは、車輪部材３３に立設されている。
止め部材３１２は、外筒管３１１ｂに設けられている。止め部材３１２は、外筒管３１１ｂ内部に突出して、内筒管３１１ａに設けられた貫通孔に挿通させることで、内筒管３１１ａの落下を抑止して、伸縮部材３１１の長さを固定するピン部材である。懸架部材３１３は、一対の支柱部３１の上部および下部に、平行に設けられている。
【００２１】
支持部３２は、内筒管３１１ａの外形を維持しながら、内筒管３１１ａの上端から台板部２０に向かって水平方向に伸びて、台板部２０に接続されている。支持部３２は、台板部２０に回動自在に連結されている。支持部３２と内筒管３１１ａとが一体的に接続されることで、全体がＬ字状に形成されている。車輪部材３３は、移動方向に応じて３６０度向きを変えることができるキャスターである。
【００２２】
連結部４０は、台板部２０と同様に、矩形状の平板部材４１の周縁を下方に折り曲げ、平板部材４１の外形に合わせた枠部材（図示せず）を、平板部材４１の折り曲げた周縁の内側に入れて溶接して一体化したものである。連結部４０は、一対の台板部２０の中央側端部２０ｂと丁番４３（図３参照）を介して連結されている。連結部４０の長さ方向（足場１０における幅方向）の両端部には、連結部４０を移動させるときに作業者が把持するためのハンドル部材４４が形成されている。連結部４０の平板部材４１には、中央脚部５０の位置に合わせて、矩形状の貫通孔４５が形成されている。また、連結部４０の端部に形成された取付板４６には、連結部４０を固定するための止め部材４７が設けられている。
【００２３】
中央脚部５０は、足場１０の収納時や運搬時などで台板部２０を閉じたときに、足場１０全体を支えるものである。中央脚部５０は、連結部４０の貫通孔４５に挿通する支柱部５１と、支柱部５１の下端に設けられた車輪取付部材５２と、車輪取付部材５２の両端部に取り付けられた車輪部材５３とを備えている。
【００２４】
支柱部５１は、長さを変更することが可能な伸縮部材５１１と、伸縮部材５１１の長さを固定する止め部材５１２（図４参照）とを備えている。
伸縮部材５１１は、断面矩形状の部材から形成され、内筒管５１１ａと外筒管５１１ｂ（図６参照）とを備えている。内筒管５１１ａは車輪部材５３に立設されている。外筒管５１１ｂの頭頂面は、連結部４０の貫通孔４５より輪郭が大きい鍔部５１１ｃが形成されていると共に、平坦面に形成されている。
【００２５】
止め部材５１２は、外筒管５１１ｂに設けられている。止め部材５１２は、外筒管５１１ｂ内部に突出して、内筒管５１１ａに設けられた貫通孔に挿通させることで、内筒管５１１ａの落下を抑止して、伸縮部材５１１の長さを固定するピン部材である。
なお、連結部４０の止め部材４７は、外筒管５１１ｂに設けられた貫通孔に挿通するものであり、内筒管５１１ａまでは至っていない。従って、止め部材４７は、連結部４０の移動の際に使用されるが、中央脚部５０の伸縮部材５１１を伸縮させる際に、連結部４０の止め部材４７の操作は不要である。
【００２６】
車輪取付部材５２は、支柱部５１が中央部に立設した状態で溶接されている。車輪部材５３は、移動方向に応じて３６０度向きを変えることができるキャスターである。
【００２７】
外脚規制部６０は、外側脚部３０の車輪部材３３を接地させて、外側脚部３０により台板部２０を支持させたときに、外側脚部３０の開きを規制するものである。外脚規制部６０は、図３に示すように、外側脚部３０の下部の懸架部材３１３に回動自在に取り付けられた略コ字状の第１部材６１と、中央脚部５０の車輪取付部材５２に回動自在に取り付けられた略コ字状の第２部材６２と、第１部材６１と第２部材６２とを回動自在に繋ぐ棒状の第３部材６３とか形成されている。
【００２８】
以上のように構成された本発明の実施の形態に係る足場１０の使用状態を図面に基づいて説明する。
図１および図２に示すように、まず、足場１０は、台板部２０が閉じられ、折り畳まれた状態である。足場１０は、台板部２０が折り畳まれた状態で収納されたり、搬送されたりする。
この足場１０を作業場に設置して使用するときには、まず、作業者は、外側脚部３０を開きつつ、台板部２０の外側端部２０ａ（台板部２０が閉じられた状態では上端部）を、連結部４０の連結部分を中心に回動させて、図３および図４に示すように、外側脚部３０の車輪部材３３を接地させる。
【００２９】
外側脚部３０の車輪部材３３が接地することにより、一対の外側脚部３０のそれぞれの支柱部３１に対してハ字状に開くような応力が作用する。しかし、支柱部３１には、中央脚部５０に接続する外脚規制部６０が接続されているため、外側脚部３０の外側への開きが規制され、外側脚部３０の傾斜を抑制する。
【００３０】
まず、作業者が、外側脚部３０の車輪部材３３を接地させることにより、足場１０が正面視して略Ｍ字状になる。そのため、台板部２０が、一旦、中央側端部２０ｂを下に、外側端部２０ａを上にして傾斜した状態で止まる。この状態では、台板部２０と、台板部２０を支持する外側脚部３０の支持部３２との間には、まだ隙間Ｓがある。
従って、台板部２０を持ちながら開く作業者の手が、台板部２０と、支持部３２との間に挟まれてしまうことを防止することができる。これにより、足場１０は、作業の安全性を向上させることができる。
【００３１】
次に、作業者は、連結部４０の止め部材４７を引き、中央脚部５０との係止状態を解除し、ハンドル部材４４を把持して持ち上げる。作業者が連結部４０を持ち上げることで、連結部４０が中央脚部５０の支柱部５１に沿って上昇して、台板部２０の傾斜が徐々に緩やかになる。そして、図５に示すように、台板部２０が水平状態となると、作業者は、連結部４０の止め部材４７を中央脚部５０へ差し込むことで、止め部材４７が中央脚部５０に係止して、連結部４０を中央脚部５０に固定する。
支持部３２（図４参照）が、上下方向に伸びる支柱部３１から水平に伸びて、台板部２０を支えるので、台板部２０に荷重が掛かっても、支持部３２が点でなく線で台板部２０を支持することができる。従って、外側脚部３０がしっかりと台板部２０を下支えすることができる。
【００３２】
このようにして、足場１０は、一対の台板部２０の平板部材２１と、連結部４０の平板部材４１とが平坦面となった状態で固定され、外側脚部３０および中央脚部５０により支持される。作業者は、台板部２０および連結部４０の上に載り、高所を作業することができる。
【００３３】
次に、作業者が更に高い位置を作業する場合を説明する。
作業者は、図５に示すように、外側脚部３０と中央脚部５０とのそれぞれの止め部材３１２，５１２を、伸縮部材３１１，５１１から引いて、内筒管３１１ａ，５１１ａ（図６参照）から引き出して係止状態を解除する。
外側脚部３０の内筒管３１１ａは台板部２０と支持部３２と連結されており、中央脚部５０の外筒管５１１ｂに連結部４０の貫通孔４５より輪郭が大きい鍔部５１１ｃが形成されているため、作業者が台板部２０を持ち上げると、図６に示すように、外側脚部３０の内筒管３１１ａと、中央脚部５０の外筒管５１１ｂが、外筒管３１１ｂおよび内筒管５１１ａから引き出される。
そして、作業者が台板部２０を所定高さまで持ち上げ、外側脚部３０と中央脚部５０との伸縮部材３１１，５１１が伸びると、作業者は止め部材３１２，５１２を元の状態に戻すことで、止め部材３１２，５１２が内筒管３１１ａ，５１１ａに係止することで、伸縮部材３１１，５１１の縮小が規制され、台板部２０が所定高さで固定される。
【００３４】
このように、外側脚部３０と中央脚部５０との支柱部３１，５１が伸縮部材３１１，５１１により形成されていることで、作業者が更に高い位置で作業することができる。
【００３５】
以上のように本実施の形態に係る足場１０によれば、台板部２０の中央側端部２０ｂ同士を繋ぐ連結部４０が中央脚部５０に沿って上昇して、一対の台板部２０を水平とした状態で中央脚部５０により連結部４０を支持させる構造であるため、台板部２０が閉じられた状態では、台板部２０の中央側端部２０ｂは中央脚部５０の下部に位置させることができる。従って、足場１０は、台板部２０を二つ折りして閉じた状態での高さを低く抑えることができる。また、台板部２０が中央脚部５０より長くても、台板部２０が閉じられた状態では、台板部２０が中央側端部２０ｂを下にして二つ折りされるため、台板部２０を閉じるときに中央脚部５０を伸ばす必要がない。
【００３６】
また、足場１０は、一対の台板部２０を水平状態としたときに、一対の台板部２０の間に位置する連結部４０が、一対の台板部２０と共に平坦面を形成するので、作業者は障害となる出っ張りが無い状態で作業を行うことができる。また、連結部４０には、中央脚部５０の支柱部５１を通すための貫通孔４５が形成されているため、中央脚部を５０連結部４０から外にはみ出した状態で配置しなくてもよい。
【００３７】
更に、足場１０は、連結部４０を中央脚部５０の支柱部５１に沿って上昇させ、中央脚部５０の頭頂面に位置させたときに、中央脚部５０の外筒管５１１ｂの頭頂面が平坦面であるため、支柱部５１の頭頂面が連結部４０の平板部材２１と同一平面となる。従って、台板部２０上で作業をしていても、中央脚部５０内への物品の落下を防止することができる。
【００３８】
以上、本発明の実施の形態に係る足場１０を説明したが、外側脚部３０の伸縮部材３１１は、外筒管３１１ｂが車輪部材３３に立設し、内筒管３１１ａが支持部３２を介して台板部２０に連結されているが、内筒管と外筒管とは反対でもよい。
また、中央脚部５０の伸縮部材５１１は、内筒管５１１ａが車輪部材５３に立設し、外筒管５１１ｂが台板部２０に押されて上昇するが、内筒管と外筒管とは反対でもよい。
【産業上の利用可能性】
【００３９】
本発明の折り畳み台は、作業者が高所作業に使用する足場や、テーブルなどの作業台とすることができる。
【符号の説明】
【００４０】
１０  足場
２０  台板部
２０ａ  外側端部
２０ｂ  中央側端部
２１  平板部材
２２  枠部材
２３  補強部材
３０  外側脚部
３１  支柱部
３１１  伸縮部材
３１１ａ  内筒管
３１１ｂ  外筒管
３１２  止め部材
３１３  懸架部材
３２  支持部
３３  車輪部材
４０  連結部
４１  平板部材
４３  丁番
４４  ハンドル部材
４５  貫通孔
４６  取付板
４７  止め部材
５０  中央脚部
５１  支柱部
５１１  伸縮部材
５１１ａ  内筒管
５１１ｂ  外筒管
５１１ｃ  鍔部
５１２  止め部材
５２  車輪取付部材
５３  車輪部材
６０  外脚規制部
６１  第１部材
６２  第２部材
６３  第３部材
Ｓ  隙間
【図１】
0006396107.tif 000002
【図２】
0006396107.tif 000003
【図３】
0006396107.tif 000004
【図４】
0006396107.tif 000005
【図５】
0006396107.tif 000006
【図６】
0006396107.tif 000007